【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
シーケンス番号とシーケンス番号体系を識別するトラフィック識別子とを含む１つ以上のデータフレームを受信する受信手段と、
第１のトラフィック識別子に対応するデータフレームに関する第１の送達確認情報と、第２のトラフィック識別子に対応するデータフレームに関する第２の送達確認情報とを単一の物理フレームにまとめて送信する送信手段とを具備することを特徴とする通信装置。
【請求項２】
前記第１の送達確認情報および前記第２の送達確認情報が、選択再送のための送達確認情報であることを特徴とする請求項１記載の通信装置。
【請求項３】
複数のＭＡＣフレームを単一の物理フレームにまとめて送信する送信手段と、
前記複数のＭＡＣフレームの少なくとも１つとして、受信宛先装置に対し当該ＭＡＣフレーム受信後に直ちに送信権を許可する情報を含む第ＲＤ１のＭＡＣフレームを挿入する処理部とを具備することを特徴とする通信装置。
【請求項４】
前記処理部は、前記送信権を許可する情報に、送信権を許可する最大期間を示す情報を含めることを特徴とする請求項３記載の通信装置。
【請求項５】
前記処理部は、自装置が獲得した送信権の期間の範囲内で前記送信権を許可する最大期間を定めることを特徴とする請求項４記載の通信装置。
【請求項６】
前記自装置が獲得した送信権の期間に充てるため、ポーリング期間を開始する第ＲＤ２のＭＡＣフレームを送信するように制御する制御部を具備することを特徴とする請求項５記載の通信装置。
【請求項７】
前記自装置が獲得した送信権の期間に充てるため、コンテンションアクセスにより送信権を獲得する第ＲＤ３のＭＡＣフレームを送信するように制御する制御部を具備することを特徴とする請求項５記載の通信装置。
【請求項８】
前記ＲＤ２または前記ＲＤ３のＭＡＣフレームをネットワーク内の全ての装置で受信可能な物理フレームにより送信するように制御する制御部を具備することを特徴とする請求項６または７記載の通信装置。
【請求項９】
前記第ＲＤ１のＭＡＣフレームを含む物理フレームを、複数アンテナ間の伝送路状態の推定を可能とする物理フレームにするように制御する制御部を具備することを特徴とする請求項３ないし８のいずれかに記載の通信装置。
【請求項１０】
複数のＭＡＣフレームと、当該ＭＡＣフレームの受信宛先装置に対し当該ＭＡＣフレーム受信後に直ちに送信権を許可する情報を含む単一の物理フレームを受信する受信手段と、
前記ＭＡＣフレームが自装置宛てであり、かつ送信権を許可する情報が含まれていた場合、許可された範囲で第ＲＤ４のＭＡＣフレームを送信する送信手段とを具備することを特徴とする通信装置。
【請求項１１】
前記送信手段は、複数の前記ＲＤ４のＭＡＣフレームを単一の物理フレームにまとめて送信することを特徴とする請求項１０記載の通信装置。
【請求項１２】
複数アンテナ間の伝送路状態を推定する受信部と、
推定した伝送路状態に関する情報を前記ＲＤ４のＭＡＣフレームの少なくとも一つに含めて送信するように制御する制御部とを具備することを特徴とする請求項１０または１１記載の通信装置。
【請求項１３】
前記ＲＤ４のＭＡＣフレームは、同一または異なるトラフィック識別子に対応する送達確認情報を表すフレームであることを特徴とする請求項１０ないし１２のいずれかに記載の通信装置。
【請求項１４】
単一の物理フレームに含ませるための複数のＭＡＣフレームを選択する第１の送信対象ＭＡＣフレーム選択手段と、
ポーリングフレームの受信に呼応して、前記送信対象ＭＡＣフレーム選択手段により選択されたＭＡＣフレームを、単一の物理フレームによって送信する送信手段とを具備することを特徴とする通信装置。
【請求項１５】
ＭＡＣフレームの属性に応じたスケジュール規則を満たすように、単一の物理フレームに含めて送信する複数のＭＡＣフレームを選択する第２の送信対象ＭＡＣフレーム選択手段を具備することを特徴とする請求項１４記載の通信装置。
【請求項１６】
単一の物理フレームに含ませるための、互いに異なるQoS属性を持つ複数のＭＡＣフレームを選択する第３の送信対象ＭＡＣフレーム選択手段を具備することを特徴とする請求項１４記載の通信装置。
【請求項１７】
前記複数のＭＡＣフレームがデータフレームと部分応答フレームとからなることを特徴とする請求項１４記載の通信装置。
【請求項１８】
送達確認情報により決定されるＭＡＣフレームの再送必要性と、再送又は新規送信に係るＭＡＣフレームの属性とに応じたスケジュール規則を満たすように、単一の物理フレームに含めて送信すべき複数のＭＡＣフレームを選択する第３の送信対象ＭＡＣフレーム選択手段と、
ポーリングフレームおよび送達確認フレームの受信に呼応し、前記第３の送信対象ＭＡＣフレーム選択手段により選択されたＭＡＣフレームを、単一の物理フレームによって送信する送信手段とを具備することを特徴とする通信装置。
【請求項１９】
受信したポーリングフレームの物理フレームが含むチャネル推定用情報に基づいてチャネル推定を行なうチャネル推定手段と、
前記ポーリングフレームへの応答として送信する際の物理フレームの、変調方式および符号化率の少なくともいずれか一方からなる送信方式を前記チャネル推定手段により推定されたチャネル推定結果に適応するように複数の候補から選択する送信方式選択手段と、
前記送信方式選択手段により選択された送信方式に従って前記物理フレームを送信する送信手段とを具備することを特徴とする通信装置。
【請求項２０】
ポーリングフレームを含む物理フレームに含まれるチャネル推定用情報と、該物理フレームが含むチャネル推定補正用情報とに基づいて、チャネル推定を行なう第２のチャネル推定手段をさらに具備する請求項１９記載の通信装置。
【請求項２１】
単一の物理フレームに含ませるための複数のＭＡＣフレームを選択する第１の送信対象ＭＡＣフレーム選択手段と、
受信したポーリングフレームの物理フレームが含むチャネル推定用情報に基づいてチャネル推定を行なうチャネル推定手段と、
前記ポーリングフレームへの応答として送信する際の物理フレームの、変調方式および符号化率の少なくともいずれか一方からなる送信方式を前記チャネル推定手段により推定されたチャネル推定結果に適応するように複数の候補から選択する送信方式選択手段と、
前記送信方式選択手段により選択された送信方式に従い、ポーリングフレームの受信に呼応して、前記送信対象ＭＡＣフレーム選択手段により選択されたＭＡＣフレームを、単一の物理フレームによって送信する送信手段とを具備することを特徴とする通信装置。
【請求項２２】
ポーリングスケジュールに従い送信許可を付与するためのポールフレームと少なくとも一つの別のフレームとを含む単一の物理フレームを作成する物理フレーム作成手段と、
前記ポーリングスケジュールを開始する手段と、
開始されたポーリングスケジュールに従い、送信許可を付与すべき通信装置に向けて前記物理フレームを送信する送信手段とを具備することを特徴とする通信装置。
【請求項２３】
単一の物理フレームに含ませるための複数のＭＡＣフレームを選択する第１の送信対象ＭＡＣフレーム選択手順と、
ポーリングフレームの受信に呼応して、前記送信対象ＭＡＣフレーム選択手順により選択されたＭＡＣフレームを、単一の物理フレームによって送信する送信手順とをコンピュータに実行させるための通信制御プログラム。
【請求項２４】
送達確認情報により決定されるＭＡＣフレームの再送必要性と、再送又は新規送信に係るＭＡＣフレームの属性とに応じたスケジュール規則を満たすように、単一の物理フレームに含めて送信すべき複数のＭＡＣフレームを選択する第３の送信対象ＭＡＣフレーム選択手順と、
ポーリングフレームおよび送達確認フレームの受信に呼応し、前記第３の送信対象ＭＡＣフレーム選択手順により選択されたＭＡＣフレームを、単一の物理フレームによって送信する送信手順とをコンピュータに実行させるための通信制御プログラム。
【請求項２５】
受信したポーリングフレームの物理フレームが含むチャネル推定用情報に基づいてチャネル推定を行なうチャネル推定手順と、
前記ポーリングフレームへの応答として送信する際の物理フレームの、変調方式および符号化率の少なくともいずれか一方からなる送信方式を前記チャネル推定手順により推定されたチャネル推定結果に適応するように複数の候補から選択する送信方式選択手順と、
前記送信方式選択手順により選択された送信方式に従って前記物理フレームを送信する送信手順とをコンピュータに実行させるための通信制御プログラム。
【請求項２６】
単一の物理フレームに含ませるための複数のＭＡＣフレームを選択する第１の送信対象ＭＡＣフレーム選択手順と、
受信したポーリングフレームの物理フレームが含むチャネル推定用情報に基づいてチャネル推定を行なうチャネル推定手順と、
前記ポーリングフレームへの応答として送信する際の物理フレームの、変調方式および符号化率の少なくともいずれか一方からなる送信方式を前記チャネル推定手順により推定されたチャネル推定結果に適応するように複数の候補から選択する送信方式選択手順と、
前記送信方式選択手順により選択された送信方式に従い、ポーリングフレームの受信に呼応して、前記送信対象ＭＡＣフレーム選択手順により選択されたＭＡＣフレームを、単一の物理フレームによって送信する送信手順とをコンピュータに実行させるための通信制御プログラム。
【請求項２７】
ポーリングスケジュールに従い送信許可を付与するためのポールフレームと少なくとも一つの別のフレームとを含む単一の物理フレームを作成する物理フレーム作成手順と、
前記ポーリングスケジュールを開始する手順と、
開始されたポーリングスケジュールに従い、送信許可を付与すべき通信装置に向けて前記物理フレームを送信する送信手順とをコンピュータに実行させるための通信制御プログラム。